(57)【要約】【課題】  ある１個の有機ＥＬ素子を駆動するための複数個の容量素子に対する一斉充電、及び、一斉放電に際する大電流の発生を回避する。【解決手段】電気光学装置は、複数の単位回路（Ｐ１）と、各単位期間内における駆動期間ごとに一の走査線（３）及びそれに含まれる各配線（３_Ｏ，３_Ｅ）のうちのいずれかの配線を順次選択する走査線駆動回路（２００）と、駆動期間が開始される前の書込期間ごとに、データ線（６）にデータ電位（ＶＤ[ｊ]）を出力するデータ線駆動回路（３００）と、を備える。前記の複数の単位回路のうち、あるものは配線（３_Ｏ）に接続され、また、あるものは配線（３_Ｅ）に接続される。【選択図】図１
2010243611.tif 000002
【特許請求の範囲】
【請求項１】
複数の走査線と複数のデータ線との交差に対応して配置された複数の単位回路と、
前記複数の走査線の各々を構成する複数の配線と、
各単位回路内における駆動期間ごとに、一の前記走査線を順次に選択しつつ当該走査線に含まれる一の前記配線を順次に選択する走査線駆動回路と、
前記各単位期間内における期間であって前記駆動期間が開始される前の書込期間ごとに、当該単位期間内の前記駆動期間で選択される前記配線に対応する前記単位回路の階調データに応じたデータ電位を、前記各データ線のうち当該単位回路に対応するデータ線に出力するデータ線駆動回路と、
を備え、
前記複数の単位回路の各々は、
前記データ電位に応じた階調となる電気光学素子と、
容量線に接続された第１電極、及び、前記データ線に接続された第２電極を有する容量素子と、
前記第２電極と前記電気光学素子との間に配置されて前記走査線駆動回路による一の前記配線の選択時に導通することで前記第２電極と前記電気光学素子とを導通させるスイッチング素子と、
を含む、
ことを特徴とする電気光学装置。
【請求項２】
複数の走査線と複数のデータ線との交差に対応して配置された複数の単位回路と、
前記複数の走査線の各々を構成する複数の配線と、
各単位回路内における駆動期間ごとに、一の前記走査線を順次に選択しつつ当該走査線に含まれる一の前記配線を順次に選択する走査線駆動回路と、
前記各単位期間内における期間であって前記駆動期間が開始される前の書込期間ごとに、当該単位期間内の前記駆動期間で選択される前記配線に対応する前記単位回路の階調データに応じたデータ電位を、前記各データ線のうち当該単位回路に対応するデータ線に出力するデータ線駆動回路と、
前記複数のデータ線の各々と前記データ線駆動回路との間に配置された複数の第１スイッチング素子と、
を備え、
前記複数の単位回路の各々は、
前記データ電位に応じた階調となる電気光学素子と、
前記データ線と前記電気光学素子との間に配置されて前記走査線駆動回路による一の前記配線の選択時に導通することで前記データ線と前記電気光学素子とを導通させる第２スイッチング素子と、
を含み、
前記データ線駆動回路が前記データ線に前記データ電位を出力する際に、
当該データ線に対応する前記第１スイッチング素子は、
前記書込期間において導通状態となり、当該データ線と前記データ線駆動回路とを導通させることで、当該データ線に付随する容量に前記データ電位に応じた電荷を蓄積させ、
前記駆動期間において非導通状態となり、当該データ線と前記データ線駆動回路とを導通させない、
ことを特徴とする電気光学装置。
【請求項３】
前記複数の単位回路のうち一の前記走査線に含まれる一の配線に対応する一の単位回路に係る前記単位期間は、
当該走査線に含まれる他の配線に対応する他の単位回路に係る前記単位期間の少なくとも一部と重なる、
ことを特徴とする請求項１又は２に記載の電気光学装置。
【請求項４】
前記データ線駆動回路は、
前記各データ線のうちのいずれのデータ線に前記データ電位を供給するかを定める切換部を含む、
ことを特徴とする請求項１乃至３のいずれか一項に記載の電気光学装置。
【請求項５】
前記データ線駆動回路は、
前記複数のデータ線の各々に対応する前記データ電位を相互独立に生成する、複数のデータ電位生成部を含む、
ことを特徴とする請求項１乃至４のいずれか一項に記載の電気光学装置。
【請求項６】
前記各単位回路における前記容量素子又は前記データ線に付随する容量とは別に、一方の電極が前記データ線に接続される補助用の容量素子を更に備える、
ことを特徴とする請求項１乃至５のいずれか一項に記載の電気光学装置。
【請求項７】
一の前記走査線に含まれる前記複数の配線のうちの一の配線に対応する単位回路と、当該単位回路に当該走査線の延在方向に沿って隣り合う単位回路であって当該複数の配線のうちの他の配線に対応する単位回路とは、１個の単位回路群を構成し、
前記単位回路群は、当該走査線の延在方向に沿って繰り返し配列される、
ことを特徴とする請求項１乃至６のいずれか一項に記載の電気光学装置。
【請求項８】
請求項１乃至７のいずれか一項に記載の電気光学装置を備える、
ことを特徴とする電子機器。
【請求項９】
走査線を構成する複数の配線と、これら各配線に対応する複数の単位回路と、を備え、当該単位回路内の容量素子の電荷放電によって所定の階調となる電気光学素子を含む電気光学装置の駆動方法であって、
前記各配線のうち一の配線に対応する前記単位回路に対応するデータ線のみに第１データ電位を供給して、当該データ線に接続された前記容量素子に当該第１データ電位に応じた電荷を蓄積する第１工程と、
前記一の配線を選択することで、該一の配線に対応する前記単位回路内の前記容量素子及び前記電気光学素子間のスイッチング素子を導通状態にする第２工程と、
前記各配線のうち他の配線に対応する前記単位回路に対応するデータ線のみに第２データ電位を供給して、当該データ線に接続された前記容量素子に当該第２データ電位に応じた電荷を蓄積する第３工程と、
前記他の配線を選択することで、該他の配線に対応する前記単位回路内の前記容量素子及び前記電気光学素子間のスイッチング素子を導通状態にする第４工程と、
を含む、
ことを特徴とする電気光学装置の駆動方法。
【請求項１０】
走査線を構成する複数の配線と、これら各配線に対応する複数の単位回路と、を備え、前記走査線と交差するように延びるデータ線に付随する容量の電荷放電によって所定の階調となる電気光学素子を含む電気光学装置の駆動方法であって、
前記各配線のうち一の配線に対応する前記単位回路に対応する前記データ線のみに第１データ電位を供給して、当該データ線に付随する容量に当該第１データ電位に応じた電荷を蓄積する第１工程と、
前記一の配線を選択することで、該一の配線に対応する前記単位回路内の前記電気光学素子及び前記データ線間のスイッチング素子を導通状態にする第２工程と、
前記各配線のうち他の配線に対応する前記単位回路に対応するデータ線のみに第２データ電位を供給して、当該データ線に付随する容量に当該第２データ電位に応じた電荷を蓄積する第３工程と、
前記他の配線を選択することで、該他の配線に対応する前記単位回路内の前記電気光学素子及び前記データ線間のスイッチング素子を導通状態にする第４工程と、
を含む、
ことを特徴とする電気光学装置の駆動方法。
【請求項１１】
前記第１工程は、前記第３及び第４工程の少なくとも１つの工程と並行して行われ、又は、
前記第３工程は、前記第１及び第２工程の少なくとも１つの工程と並行して行われる、
ことを特徴とする請求項９又は１０に記載の電気光学装置の駆動方法。
【発明の詳細な説明】
【技術分野】
【０００１】
本発明は、有機ＥＬ（electro luminescent）素子、液晶等を含む電気光学装置及びその駆動方法、並びに電子機器に関する。
【背景技術】
【０００２】
従来、電気光学素子として有機ＥＬ素子等を含む電気光学装置が提供されている。この電気光学装置では、有機ＥＬ素子等に所定の電流又は電圧を供給するための、さまざまな駆動回路が備えられる。このような駆動回路は、例えば、その有機ＥＬ素子に加えて、これに並列に接続される容量素子を含むことがある。この場合、有機ＥＬ素子の陽極及び容量素子の一方の電極にデータ電位が、有機ＥＬ素子の陰極及び容量素子の他方の電極に基準電位が、それぞれ供給されるなどということになる。これによると、容量素子に蓄えられた、前記データ電位に基づく電荷に起因する電流供給が、有機ＥＬ素子に対して行われ得ることになるから、当該有機ＥＬ素子の安定的な駆動を行うこと等が可能になる。
このような電気光学装置としては、例えば特許文献１に開示されているようなものが知られている。
【先行技術文献】
【特許文献】
【０００３】
【特許文献１】特開２０００−１２２６０８号公報
【発明の概要】
【発明が解決しようとする課題】
【０００４】
ところで、上述したような電気光学装置においては、次のような問題がある。すなわち、有機ＥＬ素子の発光量（発光輝度の時間積分値）を十分な値とするためには、前記容量素子に蓄える電荷量を大きくする必要があり、したがって、前記容量素子の容量を非常に大きな値とする必要がある。しかし、１個１個の駆動回路の設置のために許される物理的面積には制約があること等の関係から、そのような大容量値の実現には、そもそも困難が伴う。
【０００５】
そこで、上記問題を解決するため、本願出願人は、既に特願２００８−２６５８０号に係る技術を提案している。そこにおいては、複数の駆動回路（単位回路）の各々に含まれる容量素子を、１個の有機ＥＬ素子を駆動するために利用する技術が開示されている。簡単な例でいえば、駆動回路が単純に１列だけ並べられているとして、その数がＮ個ある（したがって容量素子及び有機ＥＬ素子もともにＮ個ある）とする場合、ある１個の有機ＥＬ素子を駆動するにあたっては、第１に、当該有機ＥＬ素子に対応するデータ電位に応じた充電を全駆動回路に含まれるＮ個の容量素子について一斉に行い、第２に、そのＮ個の容量素子の一斉放電（即ち、電流供給）を当該有機ＥＬ素子に向けて行う、などということになる。
これによると、前述のような不具合は殆ど問題でなくなる。
【０００６】
とはいえ、このような技術にもなお改善の余地がある。すなわち、前述の例にしたがえば、ある１個の有機ＥＬ素子を駆動するために、Ｎ個全部の容量素子に対する一斉充電、及び、一斉放電を行うことになるが、それらの各時点において、瞬間的に極めて大きな電流が発生するおそれがあることである。このような問題は、容量素子の数、ないしは駆動回路の数が大きくなればなるほど、より深刻になるおそれがある。そして、このような大電流が発生すると、それに伴うノイズが発生することになり、その結果、全駆動回路に関する整序された動作が困難となったり、あるいは、そのノイズの放射による周辺機器への悪影響等が懸念されるなどの問題が生じることになる。
【０００７】
本発明は、上述した課題の少なくとも一部を解決することの可能な電気光学装置及びその駆動方法並びに電子機器を提供することを目的とする。
また、本発明は、かかる態様の電気光学装置、その駆動方法、あるいは電子機器に関連する課題を解決可能な、電気光学装置、その駆動方法、あるいは電子機器を提供することをも目的とする。
【課題を解決するための手段】
【０００８】
本発明の第１の観点に係る電気光学装置は、上述した課題を解決するため、複数の走査線と複数のデータ線との交差に対応して配置された複数の単位回路と、前記複数の走査線の各々を構成する複数の配線と、各単位回路内における駆動期間ごとに、一の前記走査線を順次に選択しつつ当該走査線に含まれる一の前記配線を順次に選択する走査線駆動回路と、前記各単位期間内における期間であって前記駆動期間が開始される前の書込期間ごとに、当該単位期間内の前記駆動期間で選択される前記配線に対応する前記単位回路の階調データに応じたデータ電位を、前記各データ線のうち当該単位回路に対応するデータ線に出力するデータ線駆動回路と、を備え、前記複数の単位回路の各々は、前記データ電位に応じた階調となる電気光学素子と、容量線に接続された第１電極、及び、前記データ線に接続された第２電極を有する容量素子と、前記第２電極と前記電気光学素子との間に配置されて前記走査線駆動回路による一の前記配線の選択時に導通することで前記第２電極と前記電気光学素子とを導通させるスイッチング素子と、を含む。
【０００９】
本発明によれば、例えば、以下のような動作が実現可能である。
すなわち、第１に、書込期間において、前記のような所定のデータ線に接続された単位回路内の容量素子への充電が行われる。ここで充電対象となる容量素子は、「駆動期間で選択される前記配線に対応する前記単位回路」に含まれるもの、に限られる。第２に、この書込期間の後の駆動期間において、前記第１で充電対象となった容量素子の放電が、選択された一の配線に対応する単位回路に含まれる電気光学素子に向けて行われる。
このような動作においては、容量素子への充電及びそこからの放電に関与する単位回路が、全単位回路の数に比べれば少なくなる。つまり、本発明においては、前述の第１及び第２の動作が１回行われる間において、全単位回路内の容量素子が、そのような充電及び放電に関与するわけではない。
このように、本発明によれば、充電又は放電の対象となる容量素子の数が、少なくとも容量素子の全数に比べれば少なくなるから、瞬間的に極めて大きな電流が発生するおそれは極めて低減される。したがって、本発明によれば、ノイズの発生を抑制でき、それに伴う様々な不都合の発生を抑制することができる。
なお、本発明において、「走査線駆動回路」が、「一の走査線を順次に選択しつつ当該走査線に含まれる一の配線を順次に選択する」というのは、以下のような意義をもつ。すなわち、仮に、走査線に番号１，２，３，…をふり、その走査線の各々に含まれるβ本の配線に番号α-１，α-２，…，α-β（ここでαは、前述の走査線の番号、βは２以上の整数）をふるとすれば、前記の“順次に選択”とは、１-１，１-２，…，１-β，２-１，２-２，…，２-β，３-１，３-２，…，３-β，…という順番で、各配線を選択していくことを意味する。
【００１０】
また、本発明の第２の観点に係る電気光学装置は、上述した課題を解決するため、複数の走査線と複数のデータ線との交差に対応して配置された複数の単位回路と、前記複数の走査線の各々を構成する複数の配線と、各単位回路内における駆動期間ごとに、一の前記走査線を順次に選択しつつ当該走査線に含まれる一の前記配線を順次に選択する走査線駆動回路と、前記各単位期間内における期間であって前記駆動期間が開始される前の書込期間ごとに、当該単位期間内の前記駆動期間で選択される前記配線に対応する前記単位回路の階調データに応じたデータ電位を、前記各データ線のうち当該単位回路に対応するデータ線に出力するデータ線駆動回路と、前記複数のデータ線の各々と前記データ線駆動回路との間に配置された複数の第１スイッチング素子と、を備え、前記複数の単位回路の各々は、前記データ電位に応じた階調となる電気光学素子と、前記データ線と前記電気光学素子との間に配置されて前記走査線駆動回路による一の前記配線の選択時に導通することで前記データ線と前記電気光学素子とを導通させる第２スイッチング素子と、を含み、前記データ線駆動回路が前記データ線に前記データ電位を出力する際に、当該データ線に対応する前記第１スイッチング素子は、前記書込期間において導通状態となり、当該データ線と前記データ線駆動回路とを導通させることで、当該データ線に付随する容量に前記データ電位に応じた電荷を蓄積させ、前記駆動期間において非導通状態となり、当該データ線と前記データ線駆動回路とを導通させない。
【００１１】
本発明によれば、上述した本発明の第１の観点に係る電気光学装置によって奏された作用効果と同様の作用効果が奏される。
ただし、本発明においては、充電対象となるのは「データ線に付随する容量」であり、したがってまた、放電対象となるのも、その「容量」である。なお、この放電は、上述の規定から、駆動期間においてデータ線とデータ線駆動回路とが非導通状態となるとともに、データ線と電気光学素子とが導通状態となることによって実現される。
ここで「データ線に付随する容量」には、例えば、データ線自体に寄生する容量（更に具体的には、データ線と電気光学素子を構成する一方の電極との間に寄生する容量等）が含まれる。また、この「データ線に付随する容量」には、前述した本発明の第１の観点に係る電気光学装置を構成する「容量素子」も含まれる（したがって、この意味においては、この第２の観点に係る電気光学装置のほうが、第１の観点に係るそれよりも、捕捉範囲は広い、といえる。）。
このように、本発明においては、前記の第１の観点に係る電気光学装置によって奏された作用効果に加えて、前述した「容量素子」の設置が必要不可欠の要素とされていないことから、それを設置する分の低コスト化を達成することができる。また、同じ理由から、単位回路のサイズの縮小化も実現できるので、高精細化もまた可能になる。
なお、“走査線の選択”の意義については、上述したところ同じである。
【００１２】
本発明の第１又は第２の観点に係る電気光学装置では、前記複数の単位回路のうち一の前記走査線に含まれる一の配線に対応する一の単位回路に係る前記単位期間は、当該走査線に含まれる他の配線に対応する他の単位回路に係る前記単位期間の少なくとも一部と重なる、ように構成してもよい。
この態様によれば、一の単位回路及び他の単位回路に係る単位時間が相互に一部重なり合うことから、所定の一定時間内で、全単位回路内の電気光学素子を効率的に駆動することが可能になる。
なお、本態様において、「単位回路に係る単位期間」とは、その単位回路内の電気光学素子が所定の階調となるべく、前述した書込期間及び駆動期間内に行われるデータ電位出力及び走査線の選択が、当該の単位回路のために実行される場合における、当該の期間を意味する。
【００１３】
また、本発明の第１又は第２の観点に係る電気光学装置では、前記データ線駆動回路は、前記各データ線のうちのいずれのデータ線に前記データ電位を供給するかを定める切換部を含む、ように構成してもよい。
この態様によれば、データ線駆動回路が切換部を含むので、各データ線へのデータ電位の供給等が好適に行われる結果、前述した本発明に係る効果をより実効的に享受可能である。
また、本態様に関し、より具体的には例えば、仮に１個の走査線が“２本”の配線を含んでいるとするなら、その２本の配線の各々に対応する２個の単位回路に対応する、２本のデータ線が、当該切換部による切換対象のデータ線となりうる。そして、これによれば、そのうちの一方の単位回路についての書込期間中は、それに対応する一方のデータ線にデータ電位が供給され、他方の単位回路についての書込期間中は、それに対応する他方のデータ線にデータ電位が供給される、などということになる。この場合特に、後者の書込期間中は、前記一方のデータ線はいわば開放されているから、当該期間は、当該データ線に付随する容量からの電荷放電、即ち前記一方の単位回路についての駆動期間にあてることができる。このことは、これら両単位回路の各々に係る「駆動期間」及び「書込期間」の少なくとも一部を重ね合わせることが可能であることを意味する。
このようにして、本態様によれば、前述した本発明に係る効果がより実効的に奏される。
【００１４】
また、本発明の第１又は第２の観点に係る電気光学装置では、前記データ線駆動回路は、前記複数のデータ線の各々に対応する前記データ電位を相互独立に生成する、複数のデータ電位生成部を含む、ように構成してもよい。
この態様によれば、データ線駆動回路が、各データ線に対応する複数のデータ電位生成部という独立の構成を含むので、例えば、一のデータ線を対象とするデータ電位の出力と、他のデータ線を対象とするデータ電位の出力とを並行して行うことができる。このことは、これら両データ線に対応する両単位回路に係る「書込期間」の少なくとも一部を重ね合わせることが可能であることを意味する。
なお、本態様においても、直前の態様において述べたような、両単位回路の各々に係る「駆動期間」及び「書込期間」の少なくとも一部を重ね合わせることは、同様に実現可能である。
このようにして、本態様によれば、前述した本発明に係る効果がより実効的に奏される。
【００１５】
また、本発明の第１又は第２の観点に係る電気光学装置では、前記各単位回路における前記容量素子又は前記データ線に付随する容量とは別に、一方の電極が前記データ線に接続される補助用の容量素子を更に備える、ように構成してもよい。
この態様によれば、選択された、走査線に含まれる一の配線に対応する単位回路における電気光学素子の発光量を十分な値とするために必要な容量に対して、当該単位回路に対応するデータ線に接続された各容量素子の合計容量、あるいはそのデータ線に付随する容量が少ない場合であっても、補助用の容量素子の容量によって不足分を補うことができる。
【００１６】
また、本発明の第１又は第２の観点に係る電気光学装置では、一の前記走査線に含まれる前記複数の配線のうちの一の配線に対応する単位回路と、当該単位回路に当該走査線の延在方向に沿って隣り合う単位回路であって当該複数の配線のうちの他の配線に対応する単位回路とは、１個の単位回路群を構成し、前記単位回路群は、当該走査線の延在方向に沿って繰り返し配列される、ように構成してもよい。
この態様によれば、簡単な例として、走査線が、第１及び第２の配線の２本の配線を含むものを前提とすれば、ある１個の走査線に着目すると、それに沿って、第１の配線に対応する単位回路、第２の配線に対応する単位回路、第１の配線に対応する単位回路、…という繰り返し配列が行われることになる。
このような場合においては、書込ないし駆動対象となる単位回路は、全単位回路の配列に対してバランスよく分散するような如くになるので、画像表示等をより好適に行うことができる。
なお、言うまでもなく、本態様においても、本発明一般と同様、走査線が２本の配線を含む場合に限定されるわけではない。
【００１７】
また、本発明の電子機器は、上記課題を解決するために、上述した各種の電気光学装置を備える。
本発明の電子機器は、上述した各種の電気光学装置を備えてなるので、容量素子又は前記配線に付随する容量への一斉充電又はそこからの一斉放電にあたって大電流が発生するようなことは回避されるなどの結果、より高品質な画像を表示すること等が可能である。
【００１８】
一方、本発明の第１の観点に係る電気光学装置の駆動方法は、上記課題を解決するため、走査線を構成する複数の配線と、これら各配線に対応する複数の単位回路と、を備え、当該単位回路内の容量素子の電荷放電によって所定の階調となる電気光学素子を含む電気光学装置の駆動方法であって、前記各配線のうち一の配線に対応する前記単位回路に対応するデータ線のみに第１データ電位を供給して、当該データ線に接続された前記容量素子に当該第１データ電位に応じた電荷を蓄積する第１工程と、前記一の配線を選択することで、該一の配線に対応する前記単位回路内の前記容量素子及び前記電気光学素子間のスイッチング素子を導通状態にする第２工程と、前記各配線のうち他の配線に対応する前記単位回路に対応するデータ線のみに第２データ電位を供給して、当該データ線に接続された前記容量素子に当該第２データ電位に応じた電荷を蓄積する第３工程と、前記他の配線を選択することで、該他の配線に対応する前記単位回路内の前記容量素子及び前記電気光学素子間のスイッチング素子を導通状態にする第４工程と、を含む。
【００１９】
本発明によれば、その第１及び第２工程において、容量素子への充電及びそこからの放電に関与する当該の容量素子が、「一の配線に対応する前記単位回路に対応するデータ線」に接続されたものに限られる。つまり、本発明においては、「他の配線に対応する単位回路」内に含まれる容量素子の存在が前提されていることから、全容量素子が、そのような充電及び放電に関与するわけではない。「他の配線」に関連する第３及び第４工程に関しても同様である。
このように、本発明によれば、充電又は放電の対象となる容量素子の数が、少なくとも容量素子の全数に比べれば少なくなるから、瞬間的に極めて大きな電流が発生するおそれは極めて低減される。したがって、本発明によれば、ノイズの発生を抑制でき、それに伴う様々な不都合の発生を抑制することができる。
また、このことからも明らかなように、本発明によれば、上述した本発明に係る電気光学装置を好適に駆動することが可能である。
なお、本発明において、「データ線に接続された容量素子」という場合における容量素子は複数あってよい。
【００２０】
また、本発明の第２の観点に係る電気光学装置の駆動方法は、上述した課題を解決するため、走査線を構成する複数の配線と、これら各配線に対応する複数の単位回路と、を備え、前記走査線と交差するように延びるデータ線に付随する容量の電荷放電によって所定の階調となる電気光学素子を含む電気光学装置の駆動方法であって、前記各配線のうち一の配線に対応する前記単位回路に対応する前記データ線のみに第１データ電位を供給して、当該データ線に付随する容量に当該第１データ電位に応じた電荷を蓄積する第１工程と、前記一の配線を選択することで、該一の配線に対応する前記単位回路内の前記電気光学素子及び前記データ線間のスイッチング素子を導通状態にする第２工程と、前記各配線のうち他の配線に対応する前記単位回路に対応するデータ線のみに第２データ電位を供給して、当該データ線に付随する容量に当該第２データ電位に応じた電荷を蓄積する第３工程と、前記他の配線を選択することで、該他の配線に対応する前記単位回路内の前記電気光学素子及び前記データ線間のスイッチング素子を導通状態にする第４工程と、を含む。
【００２１】
本発明によれば、上述した本発明の第１の観点に係る電気光学装置の駆動方法によって奏された作用効果と同様の作用効果が奏される。なお、本発明にいう「データ線に付随する容量」の意義については、上述したところと同じである。
【００２２】
本発明の第１又は第２の観点に係る電気光学装置の駆動方法では、前記第１工程は、前記第３及び第４工程の少なくとも１つの工程と並行して行われ、又は、前記第３工程は、前記第１及び第２工程の少なくとも１つの工程と並行して行われる、ように構成してもよい。
この態様によれば、例えば、第１工程と第４工程との実施が一部重なり合うことから、所定の一定時間内で、全単位回路内の電気光学素子を効率的に駆動することが可能になる。
【図面の簡単な説明】
【００２３】
【図１】本発明の第１実施形態に係る電気光学装置を示すブロック図である。
【図２】図１の電気光学装置を構成する単位回路及びデータ電位生成部周囲の詳細を示す回路図である。
【図３】図１及び図２の電気光学装置の動作を説明するためのタイミングチャートである。
【図４】図３に従って動作する電気光学装置における容量素子（Ｃ１）の充電及び放電を視覚的に表現する説明図（その１）である。
【図５】図３に従って動作する電気光学装置における容量素子（Ｃ１）の充電及び放電を視覚的に表現する説明図（その２）である。
【図６】第１実施形態に係る電気光学装置の構成に対する比較例の構成を示す図である。
【図７】図６の比較例の構成の動作を説明するためのタイミングチャートである。
【図８】本発明の第２実施形態に係る電気光学装置を構成する単位回路及びデータ電位生成部周囲の詳細を示す回路図である。
【図９】図８の電気光学装置の動作を説明するためのタイミングチャートである。
【図１０】本発明の第１及び第２実施形態に係る電気光学装置の変形例（補助用の容量素子の付加）を構成する単位回路及びデータ電位生成部周囲の詳細を示す回路図である。
【図１１】本発明の第１及び第２実施形態に係る電気光学装置の変形例（容量素子の不存在）を構成する単位回路及びデータ電位生成部周囲の詳細を示す回路図である。
【図１２】本発明に係る電気光学装置を適用した電子機器を示す斜視図である。
【図１３】本発明に係る電気光学装置を適用した他の電子機器を示す斜視図である。
【図１４】本発明に係る電気光学装置を適用したさらに他の電子機器を示す斜視図である。
【発明を実施するための形態】
【００２４】
＜第１実施形態＞
以下では、本発明に係る第１の実施の形態について図１及び図２を参照しながら説明する。なお、ここに言及した図１及び図２に加え、以下で参照する各図面においては、各部の寸法の比率が実際のものとは適宜に異ならせてある場合がある。
【００２５】
図１において、電気光学装置１０は、画像を表示するための手段として各種の電子機器に採用される装置であり、複数の単位回路Ｐ１が面状に配列された画素アレイ部１００、走査線駆動回路２００及びデータ線駆動回路３００を有する。なお、図１においては、走査線駆動回路２００とデータ線駆動回路３００とが別個の回路として図示されているが、これらの回路の一部又は全部が単一の回路とされた構成も採用される。
【００２６】
図１に示すように、画素アレイ部１００には、Ｘ方向に延在するｍ本の走査線３と、Ｘ方向に直交するＹ方向に延在するｎ本のデータ線６とが設けられる（ｍ及びｎは自然数）。各単位回路Ｐ１は、走査線３とデータ線６との交差に対応する位置に配置される。したがって、これらの単位回路Ｐ１は縦ｍ行×横ｎ列のマトリクス状に配列する。
以上の構成のうち、ｍ本の走査線３はそれぞれ、図１に示すように、一組２本の配線３_Ｏ及び３_Ｅを含む。つまり、走査線３がｍ本あれば、配線３_Ｏ及び３_Ｅの全数は２ｍ本である。また、これら配線３_Ｏ及び３_Ｅのうち、配線３_Ｏは、奇数列に位置する単位回路Ｐ１に接続される一方、配線３_Ｅは、偶数列に位置する単位回路Ｐ１に接続される。
【００２７】
図１に示す走査線駆動回路２００は、複数の単位回路Ｐ１を選択するための回路である。走査線駆動回路２００は順次アクティブとなる走査信号Ｇ[１]_Ｏ乃至Ｇ[ｍ]_Ｅを生成して、前述した走査線３を構成する２ｍ本の配線３_Ｏ及び３_Ｅの各々に出力する。第ｉ行（ｉは１≦ｉ≦ｍを満たす整数）の走査線３に供給される走査信号Ｇ[ｉ]のうち、走査信号Ｇ[ｉ]_Ｏのアクティブ状態への遷移は、第ｉ行かつ奇数列に属する（ｎ／２）個の単位回路Ｐ１の選択を意味し、走査信号Ｇ[ｉ]_Ｅのアクティブ状態への遷移は、第ｉ行かつ偶数列に属する（ｎ／２）個の単位回路Ｐ１の選択を意味する。
【００２８】
図１に示すデータ線駆動回路３００は、走査線駆動回路２００によって選択される配線３_Ｏ又は３_Ｅに対応する（ｎ／２）個分の単位回路Ｐ１の各々の階調データに応じたデータ電位ＶＤ[１]乃至ＶＤ[ｎ]を生成して各データ線６に出力する。なお、以下では、第ｊ列目（ｊは１≦ｊ≦ｎを満たす整数）のデータ線６に出力されるデータ電位ＶＤをＶＤ[ｊ]と表記することがある。
この場合、各走査線３が前述のように２本の配線３_Ｏ及び３_Ｅを含むことから、データ電位ＶＤ[１]乃至ＶＤ[ｎ]の各々も、これら２本の配線３_Ｏ又は３_Ｅの選択又は非選択に応じて供給される。すなわち、例えば、第１行目の走査線３を構成する配線３_Ｏの選択に応じては、奇数列に位置する単位回路Ｐ１用のデータ電位ＶＤ[１]，ＶＤ[３]，…，ＶＤ[２ｋ−１]，…（ｋは適当な整数。ただし、２ｋ−１≦ｎ）、が各データ線６に出力され、配線３_Ｅの選択に応じては、偶数列に位置する単位回路Ｐ１用のデータ電位ＶＤ[２]，ＶＤ[４]，…，ＶＤ[２ｋ]，…、が各データ線６に出力される、などというようである（図１参照）。
【００２９】
データ線駆動回路３００は、これを実現するため、図２に示すように、単位回路Ｐ１の２列分ごとに対応するデータ電位生成部３０１、第１及び第２スイッチング・トランジスター３０２_Ｏ及び３０２_Ｅ、並びに、これら各々のゲートに制御信号を供給するスイッチング・トランジスター制御用配線（以下、「ＳＷ用配線」と略す。）３０３_Ｏ及び３０３_Ｅを含む。
このうちデータ電位生成部３０１は、２本のデータ線６ごとに、１個ずつ対応するように設けられる。これらデータ電位生成部３０１の各々は、それに対応する２本のデータ線６が、画素アレイ部１００中、何列目に位置付けられるものであるかに応じたデータ電位を生成する。例えば、図２中最左方に示すデータ電位生成部３０１は、データ電位ＶＤ[１]及びＶＤ[２]を生成する。
また、ＳＷ用配線３０３_Ｏ及び３０３_Ｅにはそれぞれ、制御信号ＳＥＬ_Ｏ及びＳＥＬ_Ｅが出力される。この制御信号ＳＥＬ_Ｏ及びＳＥＬ_Ｅは、走査信号Ｇ[１]_Ｏ乃至Ｇ[ｍ]_Ｅそれぞれのアクティブ状態及び非アクティブ状態間の遷移と適当に同期しながら、同様に、アクティブ状態及び非アクティブ状態間を遷移する。
第１及び第２スイッチング・トランジスター３０２_Ｏ及び３０２_Ｅのそれぞれは、Ｎチャネル型であり、前記制御信号ＳＥＬ_Ｏ及びＳＥＬ_Ｅがアクティブ状態となるとき導通状態となる。そして、これらの各トランジスター（３０２_Ｏ，３０２_Ｅ）の導通・非導通状態間の遷移に応じて、あるときは第（ｊ−１）列目のデータ線６にデータ電位ＶＤ[ｊ−１]が出力され、また、あるときは第ｊ列目のデータ線６にデータ電位ＶＤ[ｊ]が出力される。
【００３０】
図２は、各単位回路Ｐ１についての詳細な電気的構成を示す回路図である。
各単位回路Ｐ１は、図２に示すように、電気光学素子８、容量素子Ｃ１、及びトランジスターＴｒを有する。
電気光学素子８は、陽極と陰極との間に有機ＥＬ材料の発光層を介在させたＯＬＥＤ（Organic Light Emitting Diode）素子であり、図２に示すように、トランジスターＴｒと定電位が供給される定電位線（接地線）との間に配置される。ここで、陽極は単位回路Ｐ１毎に設けられ、単位回路Ｐ１毎に制御される個別電極であり、陰極は単位回路Ｐ１に共通に設けられた共通電極となっている。そして、陰極は定電位が供給される定電位線に接続されている。なお、陽極が共通電極であり、陰極が個別電極であってもよい。
【００３１】
容量素子Ｃ１は、データ線６から供給されるデータ電位ＶＤ[ｊ]を保持する手段である。図２に示すように、容量素子Ｃ１は、容量線３０に接続された第１電極Ｅ１と、データ線６に接続された第２電極Ｅ２と、を有する。
なお、固定電位が供給される容量線３０は各単位回路Ｐ１に共通に接続される。また、定電位線に接地電位が供給されているが、例えば、定電位線には負電位が供給されており、データ電位ＶＤ[ｊ]のうち最高輝度を示すデータ電位ＶＤ[ｎ]が正電位であり、データ電位ＶＤ[ｊ]のうち最低輝度を示すデータ電位ＶＤ[１]が負電位であってもよい。即ち、データ電位ＶＤ[ｎ]とデータ電位ＶＤ[１]との間に接地電位があってもよい。このようにすれば、接地電位に対するデータ電位ＶＤ[ｊ]の振幅を低減でき、低消費電力化を図ることができる。
【００３２】
トランジスターＴｒは、Ｎチャネル型であり、走査線３の選択時に導通することで容量素子Ｃ１の第２電極Ｅ２と電気光学素子８とを導通させるスイッチング素子である。図２に示すように、トランジスターＴｒのソースは電気光学素子８の陽極に接続されるとともに、そのドレインは容量素子Ｃ１の第２電極Ｅ２に接続される。
そして、トランジスターＴｒのゲートは走査線３に接続される。ここでトランジスターＴｒのゲートが走査線３に接続されるという場合、第１実施形態では以下のような特徴がある。すなわち、図２に示すように、奇数列に位置する単位回路Ｐ１に含まれるトランジスターＴｒのゲートは、走査線３を構成する配線３_Ｏに接続される。他方、偶数列に位置する単位回路Ｐ１に含まれるトランジスターＴｒのゲートは、走査線３を構成する配線３_Ｅに接続される。
これにより、走査信号Ｇ[ｉ]_Ｏがアクティブ状態に遷移すると、奇数列に属するトランジスターＴｒがオン状態となって、第２電極Ｅ２と電気光学素子８とが導通する一方、走査信号Ｇ[ｉ]_Ｏが非アクティブ状態に遷移するとトランジスターＴｒはオフ状態となって、第２電極Ｅ２と電気光学素子８とは非導通状態となる。走査信号Ｇ[ｉ]_Ｅについても同様である。
【００３３】
次に、第１実施形態に係る電気光学装置１０の動作ないし作用について、既に参照した図１及び図２に加えて、図３乃至図５の各図面を参照しながら説明する。
電気光学装置１０は、以下の〔ｉ〕〔ｉｉ〕の動作を基本とする。
〔ｉ〕書込動作；
この書込動作は、ある配線３_Ｏ又は３_Ｅに対応する各単位回路Ｐ１に含まれる電気光学素子８の発光階調に対応するデータ電位ＶＤ[ｊ]を、当該電気光学素子８を含む列に属する単位回路Ｐ１内の容量素子Ｃ１に保持させる動作である。例えば、第２行目の走査線３に含まれる配線３_Ｅに対応し、かつ、第３列目に位置する電気光学装置８についてのデータ電位ＶＤ[３]（図１参照）は、その第３列目に位置する各単位回路Ｐ１内の複数の容量素子Ｃ１によって保持されることになる。
〔ｉｉ〕発光動作（電気光学素子の駆動）；
この発光動作は、〔ｉ〕において容量素子Ｃ１に保持されたデータ電位ＶＤ[ｊ]に基づいて、当該の電気光学素子８を発光させる動作である。この動作は、当該電気光学素子８を含む単位回路Ｐ１が対応する配線３_Ｏ又は３_Ｅにアクティブである走査信号Ｇ[ｉ]_Ｏ又はＧ[ｉ]_Ｅを供給すること、及び、それによってその単位回路Ｐ１内のトランジスターＴｒが導通状態となることを含む。これにより、電気光学素子８は、容量素子Ｃ１に蓄積された電荷に応じた電流の供給を受けることになり、発光する。
【００３４】
第１実施形態の電気光学装置１０は、基本的に、上述の〔ｉ〕〔ｉｉ〕の適当な組み合わせに基づいて動作するが、この点について、より詳細にみると以下のようである。
まず、図３の最左方に示す書込期間Ｐｗにおいて、データ線駆動回路３００内のＳＷ用配線３０３_Ｏにはアクティブ状態の制御信号ＳＥＬ_Ｏが供給され、ＳＷ用配線３０３_Ｅには非アクティブ状態の制御信号ＳＥＬ_Ｅが供給されることで、第１スイッチング・トランジスター３０２_Ｏはオン状態となり、第２スイッチング・トランジスター３０２_Ｅはオフ状態となる。そして、データ電位生成部３０１は、データ電位ＶＤ[１]，ＶＤ[３]，…，ＶＤ[２ｋ−１]，…を生成し、これを、対応する奇数列目に位置する各データ線６に供給する。このデータ電位ＶＤ[２ｋ−１]は、第１行目かつ奇数列目に位置する各単位回路Ｐ１内の電気光学素子８に対応する（図３中、「Ｇ[１]_Ｏ対応」という文言参照）。
以上によって、第１行目かつ奇数列目に位置する各単位回路Ｐ１内の電気光学素子８についての、前記〔ｉ〕書込動作が完了する。このように、この書込期間Ｐｗにおいては、画素アレイ部１００内の全容量素子Ｃ１のうちの半数の容量素子Ｃ１のみが充電に関与することになり、第１列目，第３列目，…，第（２ｋ−１）列目，…の各々に属する複数の容量素子Ｃ１は、それぞれ、データ電位ＶＤ[１]，ＶＤ[３]，…，ＶＤ[２ｋ−１]，…に応じた電荷を蓄積する。
【００３５】
続いて、前記書込期間Ｐｗに隣接する駆動期間Ｐｄにおいて、走査線駆動回路２００が第１行目の走査線３に含まれる配線３_Ｏにアクティブ状態の走査信号Ｇ[１]_Ｏを供給する。これにより、その配線３_Ｏに対応する電気光学素子８は一斉に発光する（前記の〔ｉｉ〕発光動作）。この際、当該の電気光学素子８に流れる電流は、前述した複数の容量素子Ｃ１に蓄積された電荷量に応じる。以上によって、１個の単位期間１Ｔが終了する（図３上方参照）。
また、第１実施形態ではこれと並行して、第１行目かつ偶数列目に位置する各単位回路Ｐ１内の電気光学素子８についての〔ｉ〕書込動作が行われる。この場合の動作の本質は前述の書込動作の場合と異ならないが、ここでは、前記とは逆に、制御信号ＳＥＬ_Ｏが非アクティブ、制御信号ＳＥＬ_Ｅがアクティブとなって、第１スイッチング・トランジスター３０２_Ｏはオフ状態となり、第２スイッチング・トランジスター３０２_Ｅはオン状態となる。また、データ電位生成部３０１は、電位ＶＤ[２]，ＶＤ[４]，…，ＶＤ[２ｋ]，…を生成し、これを、対応する偶数列目に位置する各データ線６に供給する（図３中、「Ｇ[１]_Ｅ対応」という文言参照）。以上により、第２列目，第４列目，…，第（２ｋ）列目，…の各々に属する複数の容量素子Ｃ１は、それぞれ、データ電位ＶＤ[２]，ＶＤ[４]，…，ＶＤ[２ｋ]，…に応じた電荷を蓄積する。
【００３６】
図４及び図５は、以上の動作を視覚的に表現する。すなわち、図４においては、制御信号ＳＥＬ_Ｏがアクティブ、第１スイッチング・トランジスター３０２_Ｏが導通状態となって、第（２ｋ−１）列目、即ち奇数列目の各々に属する複数の容量素子Ｃ１が、データ電位ＶＤ[２ｋ−１]に応じた電荷を蓄積する場合が描かれている（図４中、太線かつ実線の矢印、及び、それに関連するハッチング部分等参照）。
【００３７】
図５においては、２行目の走査線３に含まれる配線３_Ｏにアクティブ状態の走査信号Ｇ[２]_Ｏが供給されることで、この配線３_Ｏに属するトランジスターＴｒがオン状態となり、それに対応する電気光学素子８の各々が発光する場合が描かれている。また、この際、当該の電気光学素子８には、前述した各列に属する複数の容量素子Ｃ１の電荷に応じて電流供給がなされる場合も描かれている（図５中、太線かつ実線の矢印、及び、それに関連するハッチング部分等参照）。
一方、この図５においては、これと並行して、第（２ｋ）列目、即ち偶数列目に位置する単位回路Ｐ１内の電気光学素子８についての書込動作が行われる場合も描かれている（図５中、太線かつ破線の矢印、及び、それに関連するハッチング部分等参照）。図５の場合では第２行目かつ配線３_Ｏの電気光学素子８が駆動対象となっているから、この図５の後においては、第２行目かつ配線３_Ｅの電気光学素子８が駆動対象となって発光することになる（この点は不図示）。
【００３８】
以後は、上述した動作が繰り返し行われる。すなわち、ある時点においては、奇数列目に属する容量素子Ｃ１についての書込動作と偶数列目に属する電気光学素子８の発光動作とが行われ、他の時点においては、その逆の動作が行われながら、発光対象となる電気光学素子８が、順次、図４・図５中（あるいは図１・図２中）下方にずれていく。
なお、図３中示される期間１Ｖは、走査線３の全部（即ち、配線３_Ｏ及び３_Ｅの全部）の選択が一巡するまでの期間である一垂直走査期間を意味する。
【００３９】
このような構成及び動作を行う、第１実施形態の電気光学装置１０によれば、次のような効果が奏される。
すなわち、第１実施形態の電気光学装置１０によれば、各走査線３が２本の配線３_Ｏ及び３_Ｅを含み、かつ、これら配線３_Ｏ及び３_Ｅのそれぞれが奇数列及び偶数列に位置する単位回路Ｐ１に接続されるようになっていることから、１個の電気光学素子８を駆動するために一斉充電又は一斉放電に関わる容量素子Ｃ１の数が全容量素子Ｃ１の半分となっているため、それらの各時点においても、瞬間的に極めて大きな電流が発生するおそれが極めて低減される。
【００４０】
このことは、第１実施形態と図６及び図７との対比においてより明瞭に把握される。ここに図６は、第１実施形態に係る構成に対する比較例（図２と対比参照）、図７は、図６の比較例に係る構成の動作に関するタイミングチャートである（図３と対比参照）。
この図６においては、図１あるいは図２等とは異なって、走査線３Ｃｏｎｖは単位回路Ｐ１の各行に対応して１本ずつ設けられている。つまり、第１実施形態では、各行対応の走査線３がそれぞれ２本の配線３_Ｏ及び３_Ｅを含むのに対して、比較例においては、１本の配線しか存在しない。
図６では、このような構成であることに応じて、図７に示すように、書込期間Ｐｗ及び発光期間Ｐｄがいわば正確に交互に現れることになる。すなわち、第１に、第１行目に属する電気光学素子８のための書込動作が行われた後、第２に、その電気光学素子８に関する発光動作が行われ、その後第３に、第２行目に属する電気光学素子８のための書込動作が行われる、というようである。
そして、このような図６及び図７においては、ある行に属する電気光学素子８のための書込動作を行おうとすると、全データ線６に一斉にデータ電位ＶＤ[ｊ]を供給する（即ち、全容量素子Ｃ１に関する充電が一斉に行われる）ことになり、また、その電気光学素子８のための発光動作を行おうとすると、全容量素子Ｃ１に関する放電が一斉に行われることになる。つまり、これらの一斉充電又は一斉放電の各時点において、瞬間的に極めて大きな電流が発生するおそれが大きい。
【００４１】
以上の対比からも明らかなように、第１実施形態によれば、前記大きな電流が発生するおそれは極めて低い。したがって、第１実施形態においては、当該電流に伴うノイズが発生するおそれや、そのノイズの結果、全単位回路Ｐ１に関する整序された動作が困難となるおそれ、あるいは、そのノイズの放射による周辺機器への悪影響等が生じるおそれ、等々の各種のおそれが極めて低減される。
【００４２】
＜第２実施形態＞
以下では、本発明に係る第２実施形態について図８及び図９を参照しながら説明する。なお、この第２実施形態は、走査線３に含まれる配線が３本あること、及び、各データ線６に対応するようにデータ電位生成部が存在すること、について特徴があり、それ以外の点については、上記第１実施形態の構成及び動作ないし作用等と同様である。したがって、以下では、前記相違点について主に説明を行うこととし、それ以外の点についての説明は適宜簡略化し、あるいは省略する。
【００４３】
第２実施形態では、まず、図８に示すように、１個の走査線３に、３本の配線３_Ｆ，３_Ｓ及び３_Ｔが含まれる。これに対応して、走査線駆動回路２００は、順次アクティブとなる走査信号Ｇ[１]_Ｆ乃至Ｇ[ｍ]_Ｔを生成して、これら３ｍ本の配線３_Ｆ，３_Ｓ及び３_Ｔに出力する。
また、第２実施形態では、各単位回路Ｐ１内に含まれるトランジスターＴｒのゲートは、以下のように接続される。すなわち、第１に、第１列，第４列，…，第（１＋３ｚ）列，…に位置する単位回路Ｐ１に含まれるトランジスターＴｒのゲートは、走査線３を構成する配線３_Ｆに接続され、第２に、第２列，第５列，…，第（２＋３ｚ）列，…に位置する単位回路Ｐ１に含まれるトランジスターＴｒのゲートは、走査線３を構成する配線３_Ｓに接続され、第３に、第３列，第６列，…，第（３＋３ｚ）列，…に位置する単位回路Ｐ１に含まれるトランジスターＴｒのゲートは、走査線３を構成する配線３_Ｔに接続される（以上において、ｚ＝０，１，２，…。ただし、ｚは、３＋３ｚ≦ｍを満たす。）。なお、以下では、以上の３種の単位回路Ｐ１をそれぞれ、第１グループの単位回路Ｐ１，第２グループの単位回路Ｐ１，及び第３グループの単位回路Ｐ１，と呼ぶことがある。
【００４４】
他方、第２実施形態においては、図８に示すように、データ線駆動回路３００が、各データ線６に対応するデータ電位生成部３０４を含むようになっている。ここでいうデータ電位生成部３０４は、全単位回路Ｐ１が、前述のように第１乃至第３グループの単位回路Ｐ１に区分けされることに対応して、データ電位生成部３０４_Ｆ，３０４_Ｓ及び３０４_Ｔに区分可能である（図８参照）。すなわち、データ電位生成部３０４_Ｆは、もっぱら、配線３_Ｆに接続された第１グループの単位回路Ｐ１のためのデータ電位ＶＤ[１]，ＶＤ[４]，…，ＶＤ[１＋３ｚ]，…を生成・供給する。同様に、データ電位生成部３０４_Ｓ及び３０４_Ｔはそれぞれ、もっぱら、配線３_Ｓ及び３_Ｔに接続された第２及び第３グループの単位回路Ｐ１のためのデータ電位ＶＤ[２＋３ｚ]及びＶＤ[３＋３ｚ]を生成・供給する。
なお、このデータ電位生成部３０４は、本発明にいう「データ電位生成部」の一具体例に該当する。また、本明細書では、符号「３０４」を、符号「３０４_Ｆ」、「３０４_Ｓ」及び「３０４_Ｔ」を総称する符号として用いる。
【００４５】
このような構成を備える第２実施形態に係る電気光学装置は、以下のように動作ないし作用する。すなわち、まず、図９の最左方に示す書込期間Ｐｗにおいて、データ線駆動回路３００内のデータ電位生成部３０４_Ｆは、データ電位ＶＤ[１＋３ｚ]を生成し、これを、対応するデータ線６に供給する（前記の〔ｉ〕書込動作）。このデータ電位ＶＤ[１＋３ｚ]は、第１行目に位置する単位回路Ｐ１であって第１グループの単位回路Ｐ１であるものの内の電気光学素子８に対応する（図９中、「Ｇ[１]_Ｆ対応」という文言参照）。
続いて、第２実施形態では、この書込期間Ｐｗ内において、第１行目に位置する単位回路Ｐ１であって第２グループの単位回路Ｐ１であるものの内の電気光学素子８についての書込動作も並行して行われる。すなわち、図９に示すように、第１グループに係る書込期間Ｐｗが概ね半分終了した時点において、当該の書込動作は開始する（図９中、「Ｇ[１]_Ｓ対応」という文言参照）。この場合の動作の本質は前述の第１行目に関する書込動作の場合と異ならない。ただ、この場合は、データ線駆動回路３００内のデータ電位生成部３０４_Ｓが、データ電位ＶＤ[２＋３ｚ]を生成し、これを、対応するデータ線６に供給する。
このような動作が可能であるのは、データ電位生成部３０４_Ｆ及び３０４_Ｓが、データ線６の別に応じて個別的に備えられているからである。
【００４６】
以上により、例えば、第１行目・第１列目の電気光学素子８に対応するデータ電位ＶＤ[１]は、その第１列目に含まれる全単位回路Ｐ１内の容量素子Ｃ１に保持される一方、第１行目・第２列目の電気光学素子８に対応するデータ電位ＶＤ[２]は、その第２列目に含まれる全単位回路Ｐ１内の容量素子Ｃ１に保持されることになる。
【００４７】
続いて、前述の第１行目かつ第１グループの単位回路Ｐ１に係る書込期間Ｐｗに隣接する駆動期間Ｐｄにおいて、走査線駆動回路２００は第１行目の走査線３に含まれる配線３_Ｆにアクティブ状態の走査信号Ｇ[１]_Ｆを供給する。これにより、第１行目に位置する単位回路Ｐ１であって第１グループの単位回路Ｐ１であるものに属する電気光学素子８は一斉に発光する（前記の〔ｉｉ〕発光動作）。この際、当該の電気光学素子８に流れる電流は、前述した第１列目に属する容量素子Ｃ１に蓄積された電荷量に応じる。以上によって、１個の単位期間１Ｔが終了する（図９上方参照）。
なお、この場合において、前述の第１行目かつ第２グループに係る書込期間Ｐｗはなお継続している。つまり、第１グループに係る発光動作と、第２グループに係る書込動作は並行して行われる。
【００４８】
以後は、関与する配線３_Ｆ，３_Ｓ及び３_Ｔ、あるいは、データ電位生成部３０４_Ｆ，３０４_Ｓ及び３０４_Ｔの相違はあるもの、上述したのと同様の動作が繰り返し行われる（図９参照）。
【００４９】
以上述べたような第２実施形態によっても、上記第１実施形態によって奏された作用効果と本質的に異ならない作用効果が奏されることは明白である。
しかも、この第２実施形態によれば、各データ線の別に応じたデータ電位生成部３０４が備えられているので、上述のように、第１及び第２、第２及び第３、あるいは第３及び第１グループの単位回路Ｐ１に属する容量素子Ｃ１についての書込動作が並行して行われ得るようになっている。すなわち、第１実施形態において並行して行い得るのは、奇数列目に係る書込動作と偶数列目に係る発光動作（又はその逆）であったことと対比すると、第２実施形態では、更なる時間利用の効率化が図られている。実際、図９では、このことを利用して、図３に比べて書込期間の長期化が実現されていることがわかる。
このように、第２実施形態によれば、第１実施形態によって奏された作用効果を超えた作用効果が奏される可能性がある。
【００５０】
また、第２実施形態においては、図８と図２とを対比するとわかるように、第１実施形態において設置されていた第１・第２スイッチング・トランジスター３０２_Ｏ及び３０２_Ｅ、並びに、ＳＷ用配線３０３_Ｏ及び３０３_Ｅが必要でない。したがって、第２実施形態によれば、それを設置する分の低コスト化が見込まれ、また、ＳＷ用配線３０３_Ｏ及び３０３_Ｅを通じた第１・第２スイッチング・トランジスター３０２_Ｏ及び３０２_Ｅの制御等も必要でなくなるから、動作シーケンスの簡易化等も実現可能となる。
【００５１】
以上、本発明に係る実施の形態について説明したが、本発明に係る電気光学装置ないし画素回路は、上述した形態に限定されることはなく、各種の変形が可能である。
（１）  上記第１及び第２実施形態においては、前述の〔ｉ〕書込動作において充電対象となるのは、単位回路Ｐ１内に含まれる容量素子Ｃ１となっているが、本発明は、かかる形態に限定されない。
例えば、図１０に示すように、データ線６には補助用の容量素子Ｃｓが接続されてもよい。この容量素子Ｃｓは、その一方の電極Ｅ３がデータ線６に接続されるとともに、他方の電極Ｅ４は固定電位が供給される電位線へ接続される。なお、図１０は、第１実施形態を前提として、図２の構成に容量素子Ｃｓが付加される形態を図示しているが、第２実施形態に係る図８を前提として、容量素子Ｃｓが付加される形態であってよいことは言うまでもない。
このような形態においては、図３又は図９に示した各単位期間１Ｔ内の書込期間Ｐｗにおいて、所定の容量素子Ｃ１に加えて、補助用の容量素子Ｃｓも充電される。また、これら各図に示した各単位期間１Ｔ内の駆動期間Ｐｄにおいては、補助用の容量素子Ｃｓからの電荷が、当該補助用の容量素子Ｃｓに対応する単位回路Ｐ１へ供給される。
【００５２】
このような形態によれば、一の電気光学素子８に対応するデータ線６に接続された容量素子Ｃ１の容量の合計値が、当該電気光学素子８の発光量を十分な値とするのに不十分である場合であっても、前記補助用の容量素子Ｃｓの容量を利用することでその不足分を補うことができる。
【００５３】
（２）  上記第１及び第２実施形態においては、単位回路Ｐ１内に容量素子Ｃ１が含まれる形態について説明しているが、本発明は、かかる形態に限定されない。
例えば、図１１に示すように、単位回路Ｐ１１は、上記各実施形態における容量素子Ｃ１を含まなくともよい。この場合には、データ電位ＶＤ[ｊ]に応じた電荷は、各データ線６に付随する容量、即ち例えば、当該データ線６と電気光学素子８の陽極との間に寄生する寄生容量等に蓄えられることになる。
このような形態によれば、前述した容量素子Ｃ１を設置する分の低コスト化を達成することができる。また、同じ理由から、単位回路Ｐ１１のサイズの縮小化も実現できるので、高精細化もまた可能になる。
なお、このような図１１に示す形態に、図１０を参照して説明した補助用の容量素子Ｃｓが付加される形態も、当然、本発明の範囲内にある。
【００５４】
（３）  上記第２実施形態においては、１個の走査線３が３本の配線３_Ｆ，３_Ｓ及び３_Ｔを含み、かつ、各データ線６に対応するデータ電位生成部３０４が備えられる形態について説明しているが、これら２つの事項は各々独立である。つまり、仮に、第１実施形態を基準とすれば、当該形態を構成するデータ電位生成部３０１等に代えて、各データ線６に対応するデータ電位生成部３０４を付け加えるだけの形態も、当然、本発明の範囲内にある。また、第１実施形態の各走査線３に別途３本以上の配線を付け加えるだけの形態も、本発明の範囲内にある。
【００５５】
（４）  上記各実施形態においては、単位回路Ｐ１の各列について、データ線６が１本ずつ設けられているが、本発明は、かかる形態に限定されない。例えば、上記各実施形態において、１個の走査線３が複数の配線から構成されていたように、データ線６もまた、複数の配線から構成されてよい。そして、この場合には、例えば、奇数行目に位置する単位回路Ｐ１は、その複数の配線のうちの一の配線に接続され、偶数行目に位置する単位回路Ｐ１は、他の配線に接続される、などという形態が、本発明の具体的形態の一バリエーションとして、あり得る。これによれば、１回の機会において、充電又は放電の対象となる容量素子Ｃ１は、例えば第１グループの単位回路Ｐ１であって奇数行目に位置する単位回路Ｐ１に属する容量素子Ｃ１、などということになるから、前述した大電流発生抑止という効果がよりよく達成される可能性がある。
【００５６】
＜応用＞
次に、上記実施形態に係る電気光学装置１０を適用した電子機器について説明する。
図１２は、上記実施形態に係る電気光学装置１０を画像表示装置に利用したモバイル型のパーソナルコンピュータの構成を示す斜視図である。パーソナルコンピュータ２０００は、表示装置としての電気光学装置１０と本体部２０１０とを備える。本体部２０１０には、電源スイッチ２００１およびキーボード２００２が設けられている。
図１３に、上記実施形態に係る電気光学装置１０を適用した携帯電話機を示す。携帯電話機３０００は、複数の操作ボタン３００１およびスクロールボタン３００２、ならびに表示装置としての電気光学装置１０を備える。スクロールボタン３００２を操作することによって、電気光学装置１０に表示される画面がスクロールされる。
図１４に、上記実施形態に係る電気光学装置１０を適用した情報携帯端末（ＰＤＡ：Personal Digital Assistant）を示す。情報携帯端末４０００は、複数の操作ボタン４００１および電源スイッチ４００２、ならびに表示装置としての電気光学装置１０を備える。電源スイッチ４００２を操作すると、住所録やスケジュール帳といった各種の情報が電気光学装置１０に表示される。
【００５７】
本発明に係る電気光学装置が適用される電子機器としては、図１２から図１４に示したもののほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、ビデオプレーヤ、タッチパネルを備えた機器等が挙げられる。
【符号の説明】
【００５８】
１０……電気光学装置、１００……画素アレイ部、２００……走査線駆動回路、３００……データ線駆動回路、３０１，３０４……データ電位生成部、３０２_Ｏ，３０２_Ｅ……第１，第２スイッチング・トランジスター、３０３_Ｏ，３０３_Ｅ……スイッチング・トランジスター制御用配線、Ｐ１……画素回路、８……電気光学素子、３……走査線、３_Ｏ，３_Ｅ，３_Ｆ，３_Ｓ，３_Ｔ……配線、３０……容量線、６……データ線、Ｃ１……容量素子、Ｅ１……第１電極、Ｅ２……第２電極、Ｔｒ……トランジスター、Ｃｓ……補助用の容量素子
【図１】
2010243611.tif 000003
【図２】
2010243611.tif 000004
【図３】
2010243611.tif 000005
【図４】
2010243611.tif 000006
【図５】
2010243611.tif 000007
【図６】
2010243611.tif 000008
【図７】
2010243611.tif 000009
【図８】
2010243611.tif 000010
【図９】
2010243611.tif 000011
【図１０】
2010243611.tif 000012
【図１１】
2010243611.tif 000013
【図１２】
2010243611.tif 000014
【図１３】
2010243611.tif 000015
【図１４】
2010243611.tif 000016